(57)【要約】  ラップトップ（１２）の底面（１３）に取り付けるラップトップ上昇デバイス（１）。各ラップトップ上昇デバイスは、基部（３）に旋回自在にまたはヒンジ式に取り付けられる折り畳み式の脚（２）を有する。アーム（５）が基部に旋回自在に取り付けられる。ラップトップ上昇デバイスが開位置にある場合、アームは下方に折り畳まれ、脚上にある複数の穴（９）のうちの１つに係合し、それによってラップトップ上昇デバイスを所望の高さにロックしてもよい。ラップトップ上昇デバイスが折り畳まれた位置にある間、基部上にあるクリップ（１１）が脚およびアームを所定の位置にロックする。ラップトップ上昇デバイスのさらなる特徴は、ラップトップの前部を平面（２２）の端上に掛けることを可能にするためにラップトップの下面に取り付ける１つ以上の滑り止めストリップ（２０）である。【選択図】図１
2013510344.tif 000002
【特許請求の範囲】
【請求項１】
ラップトップコンピュータのためのラップトップ上昇デバイスであって、
基部と、
前記基部に旋回自在に取り付けられる脚と、
少なくとも１つの滑り止めストリップと、
前記基部上にあり、前記ラップトップ上昇デバイスの前記基部をラップトップコンピュータの底面に取り付けるための取り付け手段と、
前記少なくとも１つの滑り止めストリップ上にあり、前記ラップトップ上昇デバイスの前記少なくとも１つの滑り止めストリップをラップトップコンピュータの底面に取り付けるための取り付け手段と、
を含む、ラップトップ上昇デバイス。
【請求項２】
前記脚と前記基部の間にあり、前記ラップトップ上昇デバイスが開位置にある間、前記脚と前記基部の間に一定の距離を維持するためのアーム
をさらに含む、請求項１に記載のラップトップ上昇デバイス。
【請求項３】
前記脚と前記基部の間にある高さ調節手段
をさらに含む、請求項１に記載のラップトップ上昇デバイス。
【請求項４】
前記調節手段は、
近位端と遠位端とを有し、前記近位端において前記基部に取り付けられるアームと、
前記アームの前記遠位端上にあるピンと、
前記脚上にある少なくとも１つの穴と、
をさらに含む、請求項３に記載のラップトップ上昇デバイス。
【請求項５】
前記調節手段は、
近位端と遠位端とを有し、前記近位端において前記基部に取り付けられるアームと、
前記脚の前記遠位端上にあるピンと、
前記アーム上にある少なくとも１つの穴と、
をさらに含む、請求項３に記載のラップトップ上昇デバイス。
【請求項６】
前記脚上にあるゴム層
をさらに含む、請求項１に記載のラップトップ上昇デバイス。
【請求項７】
前記脚上にあるクリップ
をさらに含む、請求項１に記載のラップトップ上昇デバイス。
【請求項８】
前記取り付け手段は接着剤である、請求項１に記載のラップトップ上昇デバイス。
【請求項９】
前記取り付け手段は面ファスナである、請求項１に記載のラップトップ上昇デバイス。
【請求項１０】
前記取り付け手段は両面テープである、請求項１に記載のラップトップ上昇デバイス。
【請求項１１】
前記取り付け手段はインターロックストリップである、請求項１に記載のラップトップ上昇デバイス。
【請求項１２】
前記基部と前記脚の間にあるばね
をさらに含む、請求項１に記載のラップトップ上昇デバイス。
【請求項１３】
ラップトップコンピュータのためのラップトップ上昇デバイスであって、
少なくとも２つの基部と、
枢軸点により前記少なくとも２つの基部に取り付けられる少なくとも２つの脚と、
前記少なくとも２つのアームに取り付けられるハンドルと、
少なくとも１つの滑り止めストリップと、
前記少なくとも２つの基部上にあり、前記少なくとも２つの基部をラップトップコンピュータの底面に取り付けるための取り付け手段と、
前記少なくとも１つの滑り止めストリップ上にあり、前記ラップトップ上昇デバイスの前記少なくとも１つの滑り止めストリップをラップトップコンピュータの底面に取り付けるための取り付け手段と、
を含む、ラップトップ上昇デバイス。
【請求項１４】
前記少なくとも１つの基部の内部にある中空の部分と、
前記少なくとも２つの脚上にあるスロットと、
をさらに含む、請求項１３に記載のラップトップ上昇デバイス。
【請求項１５】
前記ハンドル上にあるゴム層
をさらに含む、請求項１３に記載のラップトップ上昇デバイス。
【請求項１６】
前記取り付け手段は接着剤である、請求項１３に記載のラップトップ上昇デバイス。
【請求項１７】
前記取り付け手段は面ファスナである、請求項１３に記載のラップトップ上昇デバイス。
【請求項１８】
前記取り付け手段は両面テープである、請求項１３に記載のラップトップ上昇デバイス。
【請求項１９】
前記取り付け手段はインターロックストリップである、請求項１３に記載のラップトップ上昇デバイス。
【請求項２０】
前記少なくとも１つの滑り止めストリップは、少なくとも１つのリッジをさらに含む、請求項１に記載のラップトップ上昇デバイス。
【請求項２１】
前記少なくとも１つの滑り止めストリップは、少なくとも１つのリッジをさらに含む、請求項１３に記載のラップトップ上昇デバイス。
【発明の詳細な説明】
【技術分野】
【０００１】
関連出願の相互参照
これは２００９年９月２２日発行の米国特許出願第１２／５６４，０９７号明細書の一部継続出願である。上に示される特許出願はその全体が参照により本明細書中に組み込まれ開示の連続性を提供する。
【０００２】
本発明は、ラップトップコンピュータ、特に、ラップトップコンピュータの下により多くの空気流を許容するためにラップトップコンピュータの後部を上昇させ、それによってラップトップコンピュータが過熱することを防止するためのデバイスに関する。
【背景技術】
【０００３】
ラップトップコンピュータはそれら底面を通じて熱を放散する。典型的には小さなゴム足がラップトップの底部にあり、ラップトップの下を冷却するためのエアギャップを設ける。しかしながら、これらのゴム足により生成されるエアギャップは非常に狭いことが多く、ラップトップの下に十分な空気循環を供給しない。したがって、ラップトップは、熱が使用者のけがの危険性、ラップトップが載置している面および／またはラップトップそれ自体の損傷を生じうる点まで加熱される傾向がある。さらなる問題は、平らな位置にあるラップトップは、使用者が彼または彼女の手首および手を不自然な位置に維持させる原因となるため、ラップトップにタイプする使用者は、不快になることが多いことである。
【０００４】
したがって、ラップトップコンピュータの後部を上昇させてラップトップコンピュータの下により多くの空気流を許容するとともに、キーボードを傾斜させ、タイピングの間、使用者に彼または彼女の手首および手のより優れた人間工学的配置を提供するラップトップ上昇デバイスが必要とされている。
【０００５】
関連する先行技術は以下の参考文献を含む。
【０００６】
2013510344.tif 000003
【発明の概要】
【０００７】
本発明の主な目的は、ラップトップコンピュータの後部を上昇させるラップトップ上昇デバイスを提供することである。
【０００８】
本発明の別の目的は、ラップトップの底面により多くの空気流を供給するラップトップ上昇デバイスを提供することである。
【０００９】
本発明のさらに別の目的は、ラップトップ上でのタイピングの間、使用者に対してさらに優れた快適性を提供するラップトップ上昇デバイスを提供することである。
【００１０】
本発明の別の目的は、高さ調節手段を有するラップトップ上昇デバイスを提供することである。
【００１１】
本発明のさらに別の目的は、ラップトップを持ち運ぶためのハンドルとしても機能してよいラップトップ上昇デバイスを提供することである。
【００１２】
本発明の別の目的は、ラップトップが上昇した位置にある間、使用者がラップトップの下面をテーブルまたは他の平面の端上に配置することを可能にする、１つ以上の滑り止めストリップを提供するラップトップ上昇デバイスを提供することである。
【００１３】
本発明は、ラップトップコンピュータの底面に取り付ける一対のラップトップ上昇デバイスを設けることにより上および他の目的を満たす。各ラップトップ上昇デバイスは、基部に旋回自在にまたはヒンジ式に取り付けられる折り畳み式の脚を有する。アームが基部に旋回自在に取り付けられる。ラップトップ上昇デバイスが開位置にある場合、アームは下方に折り畳まれ、脚上にある複数の穴のうちの１つを係合し、それによってラップトップ上昇デバイスを所望の高さにロックしてもよい。基部は、ラップトップに組み込まれるか、または面ファスナ、接着剤、両面テープ、インターロックストリップ等などの取り付け手段を使用して既存のラップトップの下面に取り付けられてもよい。脚は、また、使用中に脚がすべることを防止するためのゴムの層を有してもよい。ラップトップ上昇デバイスが使用されていないとき、ラップトップをキャリーケース内に収められるよう脚およびアームはラップトップの下面に対して平らに折り畳まれてもよい。基部上にあるクリップが、ラップトップ上昇デバイスが折り畳まれた位置にある間に脚およびアームを所定の位置にロックする。
【００１４】
ラップトップ上昇デバイスのさらなる特徴は、ラップトップの下面に取り付ける１つ以上の滑り止めストリップである。１つ以上の滑り止めストリップは、使用者がラップトップの下面をテーブルまたは他の平面の端に配置し、かつラップトップが上昇した位置にある間にテーブルまたは他の平面の端上にラップトップの前部を掛けることを可能にし、それによってタイピングのための人間工学的な位置にラップトップを配置する。
【００１５】
ラップトップ上昇デバイスの別の実施形態は、ラップトップコンピュータを持ち運ぶためのハンドルを提供する。
【００１６】
当業者には、本発明の例証的な実施形態が示されかつ記載される図面とともに以下の詳細な説明を読むと、本発明の上のおよび他の目的、特徴および利点がさらにより容易に明らかになるであろう。
【００１７】
以下の詳細な説明では、添付の図面を参照のこと。
【図面の簡単な説明】
【００１８】
【図１】開位置にある本発明のラップトップ上昇デバイスの斜視側面図である。
【図２】閉位置にある本発明のラップトップ上昇デバイスの斜視側面図である。
【図３】それに取り付けられる本発明の一対のラップトップ上昇デバイスを有するラップトップの斜視側面図である。
【図４】閉位置にある本発明のラップトップ上昇デバイスの斜視上面図である。
【図５】ラップトップの底面に取り付けられる、完全な開位置にあるラップトップ上昇デバイスの別の実施形態の斜視側面図である。
【図６】ラップトップの底面に取り付けられる、閉位置にあるラップトップ上昇デバイスの別の実施形態の底面図である。
【図７】ラップトップの底面に取り付けられる、部分的に開位置にあるラップトップ上昇デバイスの別の実施形態の底面図である。
【図８】それに取り付けられる滑り止めストリップを備えたラップトップ上昇デバイスを有するラップトップの底面図である。
【図９】それに取り付けられる滑り止めストリップを備えたラップトップ上昇デバイスを有するラップトップの側面図である。
【図１０】上昇した位置で平面上に位置する、それに取り付けられる滑り止めストリップを備えたラップトップ上昇デバイスを有するラップトップの側面図である。
【発明を実施するための形態】
【００１９】
好適な実施形態を説明するため、図面内において符号を付された付属品に関して使用される用語は以下の通り。
【００２０】
2013510344.tif 000004
【００２１】
図１を参照すると、開位置にある本発明のラップトップ上昇デバイス１の斜視側面図が示される。各ラップトップ上昇デバイス１は、枢軸点１６において基部３に取り付けられる折り畳み式の脚２を有する。高さ調節手段４が、図３に示すように、使用者が基部３と脚２の間のスペースを調節することを可能にし、それによってラップトップ１２を上昇させる高さを調節する。ここで示されるように、高さ調節手段は近位端６と遠位端７とを有するアーム５である。アームは近位端６において基部３に旋回自在に取り付けられる。アーム５の遠位端上にピン８が配置される。ラップトップ上昇デバイス１が開位置にある場合、ピン８が脚２上にある複数の穴９のうちの１つに係合し、それによってラップトップ上昇デバイス１を所望の高さにロックするように、アーム５は基部３から下方に折り畳まれてもよい。脚２上にあるゴムの層１０が使用中にすべることを防止する。図２にさらに示されるように、ラップトップ上昇デバイス１が閉位置にある場合、脚２上にあるクリップ１１が基部３を係合し、それによってラップトップ上昇デバイスを閉位置にロックする。基部はラップトップ１２の一体部品であるか、または面ファスナ、接着剤、両面テープ、インターロックストリップ等などの取り付け手段１４を使用して既存のラップトップ１２の底面１３に取り付けられてもよい。
【００２２】
図２を参照すると、閉位置にある本発明のラップトップ上昇デバイス１の斜視側面図が示される。各ラップトップ上昇デバイス１は、枢軸点１６において基部３に取り付けられる折り畳み式の脚２を有する。高さ調節手段４として機能するアーム５が基部３に旋回自在に取り付けられる。使用されていないときは、脚２およびアーム３は基部３に対して平らに上方に折り畳まれてもよい。ラップトップ上昇デバイス１が閉位置にある場合、脚２上にあるクリップ１１が基部３を係合し、それによってラップトップ上昇デバイスを閉位置にロックする。脚２上にあるゴムの層１０が、使用中に脚２がすべることを防止する。
【００２３】
ここで図３を参照すると、それに取り付けられる本発明の一対のラップトップ上昇デバイス１を有するラップトップ１２の斜視側面図が示される。各ラップトップ上昇デバイス１は、枢軸点１６において基部３に取り付けられる折り畳み式の脚２を有する。図３に示すように、高さ調節手段４は、ラップトップが上昇している間に、使用者が基部３と脚２の間のスペースを調節することを可能にし、それによって高さを調節する。ここで示されるように、高さ調節手段は近位端６と遠位端７とを有するアーム５である。アームは近位端６において基部３に旋回自在に取り付けられる。アーム５の遠位端上にピン８が配置される。ラップトップ上昇デバイス１が開位置である場合、ピン８が脚２上にある複数の穴９のうちの１つに係合し、それによってラップトップ上昇デバイス１を所望の高さにロックするように、アーム５は基部３から下方に折り畳まれてもよい。脚２上にあるゴムの層１０は使用中に脚２がすべることを防止する。基部３はラップトップ１２の一体部品であるか、または面ファスナ、接着剤、両面テープ、インターロックストリップ等などの取り付け手段１４を使用して既存のラップトップ１２の底面１３に取り付けられてもよい。
【００２４】
ここで図４を参照すると、閉位置にある本発明のラップトップ上昇デバイス１の斜視上面図が示される。各ラップトップ上昇デバイス１は、枢軸点１６において基部３に取り付けられる折り畳み式の脚２を有する。基部３は、ラップトップ１２の一体部品であるか、または面ファスナ、接着剤、両面テープ、インターロックストリップ等などの取り付け手段１４を使用して既存のラップトップ１２の底面１３に取り付けられてもよい。ラップトップ上昇デバイス１が閉位置にある場合、脚２上にあるクリップ１１が基部３を係合し、それによって閉位置にあるラップトップ上昇デバイスをロックする。脚２と基部３の間にあるばね１９がラップトップ上昇デバイス１を閉位置に偏らせ、それによってラップトップ上昇デバイス１を所定の位置に保持する。
【００２５】
ここで図５を参照すると、ラップトップ１２の底面１３に取り付けられる、完全な開位置にあるラップトップ上昇デバイス１の別の実施形態の斜視側面図が示される。ラップトップ上昇デバイス１は対応する基部３に旋回自在に取り付けられる折り畳み式の脚２を有する。スロット１５が脚２内にある。スロット１５は、脚２を折り畳むおよび下げることおよび基部３内にある枢軸点１６に沿ってスライドすることを可能にする。ハンドル１７が脚２を連結し、使用者がラップトップ１２を持ち運ぶことを可能にする。脚２上にあるゴムの層１０は使用中に脚２がすべることを防止する。基部３は、ラップトップ１２の一体部品であるか、または面ファスナ、接着剤、両面テープ、インターロックストリップ等などの取り付け手段１４を使用して既存のラップトップ１２の底面１３に取り付けられてもよい。
【００２６】
ここで図６を参照すると、ラップトップ１２の底面１３に取り付けられる、閉位置にあるラップトップ上昇デバイス１の別の実施形態の底面図が示される。ラップトップ上昇デバイス１は対応する基部３に旋回自在に取り付けられる折り畳み式の脚２を有する。図４に示すように、スロット１５が脚２内にある。スロット１５は、脚２を折り畳むおよび下げることならびに基部３内にある枢軸点１６に沿ってスライドすることを可能にする。基部３の中空の部分１８は、ラップトップ上昇デバイス１が使用されていないときに脚２が基部３内にスライドされることを可能にする。ハンドル１７が脚２を連結し、使用者がラップトップ１２を持ち運ぶことを可能にする。脚２上にあるゴムの層１０は使用中に脚２がすべることを防止する。基部３は、ラップトップ１２の一体部品であるか、または面ファスナ、接着剤、両面テープ、インターロックストリップ等などの取り付け手段１４を使用して既存のラップトップ１２の底面１３に取り付けられてもよい。
【００２７】
図７を参照すると、ラップトップ１２の底面１３に取り付けられる、部分的に開位置にある、ラップトップ上昇デバイス１の別の実施形態の底面図が示される。ラップトップ上昇デバイス１は対応する基部３に旋回自在に取り付けられる折り畳み式の脚２を有する。図４に示すように、スロット１５が脚２内にある。スロット１５は、脚２を折り畳むおよび下げることならびに基部３内にある枢軸点１６に沿ってスライドすることを可能にする。ハンドルが基部３からすべり出されると、ハンドル１７が脚２を連結し、使用者がラップトップ１２を持ち運ぶことを可能にする。脚２上にあるゴムの層１０は使用中に脚２がすべることを防止する。基部３は、ラップトップ１２の一体部品であるか、または面ファスナ、接着剤、両面テープ、インターロックストリップ等などの取り付け手段１４を使用して既存のラップトップ１２の底面１３に取り付けられてもよい。
【００２８】
図８および９を参照すると、それに取り付けられる滑り止めストリップ２０を備えたラップトップ上昇デバイス１を有するラップトップ１２のそれぞれ底面図および側面図が示される。ラップトップ１２の下面に取り付けられる脚２および対応する基部３を有するのに加えて、少なくとも１つの滑り止めストリップ２０もまたラップトップ１２の下面に取り付ける。１つ以上の滑り止めストリップ２０は、平らなまたは傾斜した表面２２上に配置されると、ラップトップ１２がすべりを形成することを防止する、ゴム、シリコーン等などの滑り止め材料で好ましくは作製される。面ファスナ、接着剤、両面テープ、インターロックストリップ等などの取り付け手段１４が１つ以上の滑り止めストリップ２０をラップトップ１２にアタッシュするために使用される。１つ以上の滑り止めストリップ２０は、図１０に示すように、ラップトップ１２が上昇した位置において平面２２の端上に配置されると、さらなる牽引力を付与するリッジ２１も有してよい。
【００２９】
最後に図１０を参照すると、上昇した位置において平面２２上に位置する、それに取り付けられる滑り止めストリップ２０を備えたラップトップ上昇デバイス１を有するラップトップ１２の側面図が示される。滑り止めストリップ２０は、使用者が、ラップトップの下面を平面２２の端に配置し、ラップトップ１２が上昇した位置にある間、ラップトップ１２の前部を平面の端上に掛けておき、それによってラップトップ１２をタイピングのための人間工学的な位置に配置することを可能にする。
【００３０】
本発明の好適な実施形態が示されるが、本明細書中に記載されかつ示される部品の特定の形態または配置に限定されるものではないことが理解される。本発明の範囲から逸脱することなく種々の変形がなされてもよいことが当業者には明らかであり、本発明は明細書および図面中に示されかつ記載されるものに限定されるものではないと解釈される。
【図１】
2013510344.tif 000005
【図２】
2013510344.tif 000006
【図３】
2013510344.tif 000007
【図４】
2013510344.tif 000008
【図５】
2013510344.tif 000009
【図６】
2013510344.tif 000010
【図７】
2013510344.tif 000011
【図８】
2013510344.tif 000012
【図９】
2013510344.tif 000013
【図１０】
2013510344.tif 000014
【国際調査報告】
2013510344.tif 000015